【手続補正書】
【提出日】平成19年10月2日(2007.10.2)
【手続補正１】
【補正対象書類名】明細書
【補正対象項目名】特許請求の範囲
【補正方法】変更
【補正の内容】
【特許請求の範囲】
【請求項１】  （Ｉ）（ｉ）少なくとも１種のジカルボン酸のモノマー残基及び（ii）全ての酸及びヒドロキシ当量の合計に基づいて４〜２５モル％の、芳香環に結合した少なくとも１種のスルホネート基を含む少なくとも１種の二官能性スルホモノマー（該官能基はヒドロキシまたはカルボキシルである）のモノマー残基並びに、必要に応じて、
（iii）式：−(ＯＣＨ2ＣＨ2)n−（式中、ｎは２〜５００である）を有する少なくとも１種のポリ（アルキレングリコール）のモノマー残基（但し、この残基のモル％はｎの値に反比例する）、そして
（iv）７５モル％以下の、ポリ（アルキレングリコール）以外の、少なくとも１種のジオールのモノマー残基
を含んでなるスルホポリエステル；
（II）１０〜７５重量％の顔料又は充填剤並びに、
（III）ワックス
を含んでなる水分散性ポリマー組成物。
【請求項２】  （Ｉ）（ａ）（ｉ）少なくとも１種の二官能性ジカルボン酸、
（ii）２つのＣＨ2ＯＨ基を含み、その少なくとも１５モル％が式：
【化１】
2001187837.tif 000001
（式中、ｎは２〜２０の範囲の整数である）を有するポリ（エチレングリコール）である、少なくとも１種の二官能性グリコール、
（iii）ポリマーに水分散性特性を付与する量の、芳香核に結合した少なくとも１種の金属スルホネート基を含む、少なくとも１種の二官能性スルホモノマー（該官能基はヒドロキシ又はカルボキシルである）及び
（iv）５０モル％以下の、１つの−Ｃ（Ｒ)2−ＯＨ基（式中、ＲはＨ又はＣ1〜Ｃ4アルキル基である）を有する二官能性ヒドロキシカルボン酸、
の残基を含む、Ｔg ２０℃以下の水分散性スルホポリエステル並びに
（ｂ）（ｉ）スルホモノマーではない、少なくとも１種の二官能性ジカルボン酸、
（ii）全ての酸、ヒドロキシ及びアミノ当量の合計に基づいて２〜３０モル％の、芳香環に結合した少なくとも１種のスルホネート基を含む、少なくとも１種の二官能性スルホモノマー（該官能基はヒドロキシ、カルボキシル又はアミノである）の残基、
（iii）ジオール部分又はジオールとジアミンの部分の合計モル％に基づいて０．１〜８５モル％（但し、これらの部分のモル％はｎの値に反比例する）の、（Ａ）式：Ｈ(−ＯＣＨ2ＣＨ2−)nＯＨ及び式：ＨＲＮ(−(ＣＨ2ＣＨ2Ｏ))nＮＨＲ（式中、ｎは２〜２０であり、Ｒは水素もしくはＣ1〜Ｃ6のアルキルである）を有するジオール又はジアミン、
（Ｂ）ジオール部分又はジオールとジアミンの部分の合計モル％に基づいて０．１〜１５モル％（但し、これらの部分のモル％はｎの値に反比例する）の、式：Ｈ(−ＯＣＨ2ＣＨ2−)nＯＨ（式中、ｎは２〜５００である）を有するポリ（エチレングリコール）の部分、並びに
（Ｃ）０〜９９モル％より多い量の、２つの−Ｃ（Ｒ1）2−ＯＨ基（式中、Ｒ1は水素原子、炭素原子１〜５のアルキルもしくは炭素原子６〜１０のアリール基である）を含むグリコール及びグリコールと２つの−ＮＲＨ基を有するジアミンとの混合物よりなる群から選ばれるジオール成分又はジオールとジアミンの混合物、
を含む少なくとも１種のジオール又はジオールとジアミンの混合物、
（iv）０〜４０モル％の、１つの−Ｃ（Ｒ）2−ＯＨ基を有するヒドロキシカルボン酸、１つの−ＮＲＨ基を有するアミノカルボン酸、１つの−Ｃ（Ｒ）2−ＯＨ基と１つの−ＮＲＨ基とを有するアミノアルカノール及びこれら二官能性モノマー反応体の混合物（但し、Ｒは水素又は炭素原子１〜６のアルキル基である）からなる群から選ばれる二官能性モノマー反応体、並びに
（ｖ）０．１〜４０モル％の、ヒドロキシル、カルボキシル、アミノ及びそれらの混合物から選ばれる少なくとも３つの官能基を含む、多官能性又は分枝誘導性反応体、
の残基を含む水分散性分枝状ポリエステル組成物であって、前記分枝状ポリエステルは、実質的に等モル割合の酸当量（１００モル％）及びジオール又はジオールとジアミンの当量（１００モル％）からなり、単量体単位の部分に結合する基の少なくとも２０重量％はエステル結合であり、フェノール／テトラクロロエタン６０／４０重量部の溶液中、２５℃、濃度０．２５ｇポリマー／１００mL溶媒で測定したインヘレント粘度が少なくとも０．１dL／ｇ、ガラス転移温度Ｔg が２０℃以下で、且つ環球式軟化点が少なくとも７０℃である分枝状ポリエステル組成物、
からなるスルホポリエステル成分、
（II）１０〜７５重量％の顔料又は充填剤並びに
（III）ワックス
を含んでなる水分散性ポリマー組成物。
【請求項３】  分枝状スルホポリエステルが、
（ｉ）ジカルボン酸、
（ii）２〜１５モル％のイソフタル酸ナトリウム残基、
（iii）ポリ（エチレングリコール）、
（iv）５０モル％以下のポリ（エチレングリコール）以外のジオール、
（ｖ）０．１〜２０モル％の少なくとも１種の三官能性ヒドロキシ化合物、
を含んでなり、該スルホポリエステルのＴg が２０℃以下である請求項２に記載の組成物。
【請求項４】  線状スルホポリエステルが、
（ｉ）５０モル％以下の脂肪族二酸又は脂環式二酸を含む芳香族二酸成分；
（ii）５〜２５モル％のイソフタル酸ナトリウム、
（iii）ジオール、
（iv）７５モル％以下のポリ（エチレングリコール）、
を含んでなり、該スルホポリエステルのＴg が２５〜１２５℃である請求項２に記載の組成物。
【請求項５】  充填剤又は顔料が１０〜４５重量％の範囲で存在する請求項１に記載の組成物。
【請求項６】  充填剤又は顔料が２０〜４０重量％の範囲で存在する請求項２に記載の組成物。
【請求項７】  充填剤又は顔料が炭酸カルシウム、二酸化チタン、硫酸バリウム、硫酸カルシウム、タルク、マイカ、シリカ及び珪酸塩、クレイ、酸化マグネシウム、炭酸マグネシウム、炭酸バリウム、ライム、アルミナ水和物、硫化亜鉛並びに酸化亜鉛からなる群から選ばれる請求項１に記載の組成物。
【請求項８】  充填剤又は顔料が炭酸カルシウム、二酸化チタン、硫酸バリウム、硫酸カルシウム、タルク、マイカ、シリカ及び珪酸塩、クレイ、酸化マグネシウム、炭酸マグネシウム、炭酸バリウム、ライム、アルミナ水和物、硫化亜鉛並びに酸化亜鉛からなる群から選ばれる請求項２に記載の組成物。
【請求項９】  前記ワックスが１２−ヒドロキシステアラミド、Ｎ−２−（ヒドロキシエチル）−１２−ヒドロキシステアラミド、Ｎ，Ｎ−エチレンビス１２−ヒドロキシステアラミド、ステアラミド、グリセリンモノステアレート、ソルビタンモノステアレート、１２−ヒドロキシステアリン酸、Ｎ，Ｎ−エチレンビス−ステアラミド、線状脂肪族長鎖アルコール、水添ひまし油及び酸化合成ワックスからなる群から選択される請求項８に記載の組成物。
【請求項１０】  前記ワックスが１２−ヒドロキシステアラミド、Ｎ−２−（ヒドロキシエチル）−１２−ヒドロキシステアラミド、Ｎ，Ｎ−エチレンビス１２−ヒドロキシステアラミド、ステアラミド、グリセリンモノステアレート、ソルビタンモノステアレート、１２−ヒドロキシステアリン酸、Ｎ，Ｎ−エチレン−ビスステアラミド、線状脂肪族長鎖アルコール、水添ひまし油及び酸化合成ワックスからなる群から選択される請求項８に記載の組成物。
【請求項１１】  請求項１に記載の組成物からなる物品。
【請求項１２】  請求項１に記載の組成物からなるフィルム。
【手続補正２】
【補正対象書類名】明細書
【補正対象項目名】００１５
【補正方法】変更
【補正の内容】
【００１５】
本明細書に記載されている水分散性ポリエステルは、フェノール／テトラクロロエタン６０／４０（重量部）の溶液中、２５℃、濃度約０．２５ｇのコポリエステルmL溶媒で測定したとき、少なくとも約０．１dL／ｇ、好ましくは約０．２ｄＬ／ｇより高く、最も好ましくは約０．３dL／ｇより高いインヘレント粘度を有する。